(57)【要約】【課題】バッテリーの電圧レベルが所定電圧以上である場合に、バックライトを駆動するための定電圧ダウンコンバータの動作を停止させることで、バッテリーの電力消費を減らし得る移動通信端末機のバックライト駆動電源制御装置及びその方法を提供する。【解決手段】バッテリーの電圧レベルによって、バックライトを駆動するためのバッテリー電圧のバイパス及びアップコンバーティングを制御する制御部１００と、制御部１００の制御によって、バッテリー電圧をアップコンバーティングして定電圧を出力するチャージポンプ１０と、制御部１００の制御によって、バッテリー電圧をバイパスするスイッチング部２００と、制御部１００の制御によって、チャージポンプ１０の出力電圧又はスイッチング部２００の出力電圧の何れか一つの印加を受けて駆動するバックライト部２０とを含んで移動通信端末機のバックライト駆動電源制御装置を構成する。【選択図】図１
2004312737.tif 000002
【特許請求の範囲】
【請求項１】
バッテリーの電圧レベルによって、バックライトを駆動するためのバッテリー電圧のバイパス及びアップコンバーティングを制御する制御部と、
前記制御部の制御によって、バッテリー電圧をアップコンバーティングして定電圧を出力するチャージポンプと、
前記制御部の制御によって、バッテリー電圧をバイパスするスイッチング部と、
前記制御部の制御によって、前記チャージポンプの出力電圧又は前記スイッチング部の出力電圧の何れか一つの印加を受けて駆動されるバックライト部とを含んで構成されることを特徴とする移動通信端末機のバックライト駆動電源制御装置。
【請求項２】
前記制御部は、前記バッテリーの電圧レベルが基準電圧以上である場合、前記バッテリー電圧が前記バックライト部にバイパスされるように、前記スイッチング部をターンオンさせ、前記バッテリーの電圧レベルが基準電圧未満である場合、前記バッテリー電圧がアップコンバーティングされるように、前記チャージポンプをターンオンさせることを特徴とする請求項１記載の移動通信端末機のバックライト駆動電源制御装置。
【請求項３】
前記制御部は、前記バッテリー電圧が所定レベルに分圧された電圧の入力を受け、該入力された分圧電圧をデジタルデータに変換し、該変換されたデジタルデータの値と前記基準電圧とを比較することを特徴とする請求項２記載の移動通信端末機のバックライト駆動電源制御装置。
【請求項４】
前記所定レベルは、前記バッテリー電圧の１／２レベルであることを特徴とする請求項３記載の移動通信端末機のバックライト駆動電源制御装置。
【請求項５】
前記チャージポンプに代わり、ＤＣ／ＤＣコンバータを用いることを特徴とする請求項１記載の移動通信端末機のバックライト駆動電源制御装置。
【請求項６】
前記バックライト部と接地電源間に連結され、前記バックライト部に流れる電流をＯＮ／ＯＦＦするためのトランジスタを更に含むことを特徴とする請求項１記載の移動通信端末機のバックライト駆動電源制御装置。
【請求項７】
前記トランジスタは、前記制御部により前記スイッチング部の動作を制御するためのバイパスイネーブル信号と、前記制御部により前記チャージポンプの動作を制御するためのアップコンバーティングイネーブル信号とを論理和する論理ゲートにより制御されることを特徴とする請求項６記載の移動通信端末機のバックライト駆動電源制御装置。
【請求項８】
前記トランジスタは、前記制御部から出力される前記バックライト部をターンオンするためのバックライトイネーブル信号により直接制御されることを特徴とする請求項６記載の移動通信端末機のバックライト駆動電源制御装置。
【請求項９】
移動通信端末機のバッテリーの電圧レベルを測定する過程と、
前記測定された電圧レベルが基準電圧レベル以上である場合、前記バッテリー電圧をバックライト部にバイパスする第１経路をターンオンする過程と、
前記測定された電圧レベルが基準電圧レベル未満である場合、前記バッテリー電圧を所定レベルの定電圧に変換する第２経路をターンオンする過程とを有することを特徴とする移動通信端末機のバックライト駆動電源制御方法。
【請求項１０】
前記第１経路をターンオンする過程は、前記第１経路上に具備されたＦＥＴ（Ｆｉｅｌｄ  Ｅｆｆｅｃｔ  Ｔｒａｎｓｉｓｔｏｒ）をターンオンすることを特徴とする請求項９記載の移動通信端末機のバックライト駆動電源制御方法。
【請求項１１】
前記第２経路をターンオンする過程は、前記第２経路上に具備されたアップコンバーティング機能を行うチャージポンプをターンオンすることを特徴とする請求項９記載の移動通信端末機のバックライト駆動電源制御方法。
【請求項１２】
前記チャージポンプに代わり、ＤＣ／ＤＣコンバータを用いることを特徴とする請求項１１記載の移動通信端末機のバックライト駆動電源制御方法。
【請求項１３】
前記所定レベルは、基準電圧レベル以上であることを特徴とする請求項９記載の移動通信端末機のバックライト駆動電源制御方法。
【請求項１４】
移動通信端末機のバッテリーの電圧レベルを検出する過程と、
前記検出された電圧レベルが基準電圧以上であるかを判断する過程と、
前記検出された電圧レベルが基準電圧以上である場合、前記バッテリー電圧をバックライト部に直接印加する過程と、
前記検出された電圧レベルが基準電圧未満である場合、前記バッテリー電圧をアップコンバーティングした定電圧を前記バックライト部に印加する過程とを有することを特徴とする移動通信端末機のバックライト駆動電源制御方法。
【請求項１５】
前記バッテリーの電圧レベルを検出する過程は、前記バッテリー電圧を１／２に分圧する過程と、前記分圧された電圧をデジタルデータに変換する過程とからなることを特徴とする請求項１４記載の移動通信端末機のバックライト駆動電源制御方法。
【発明の詳細な説明】
【技術分野】
【０００１】
本発明は、バッテリー及びＬＣＤ（Ｌｉｑｕｉｄ  Ｃｒｙｓｔａｌ  Ｄｉｓｐｌａｙ）を使用する移動通信端末機に関するもので、詳しくは、移動通信端末機のバックライト（ｂａｃｋｌｉｇｈｔ）駆動電源制御装置及びその方法に関するものである。
【背景技術】
【０００２】
一般に、移動通信端末機は、歩行者中心の装置であって、携帯及び移動の便宜を図るためそのサイズに制限を受けるが、消費者は小型端末機をより選好する傾向である。また、移動通信端末機は、携帯すべきであるという特性上、無制限に電源の供給を受けることができないという制約があるため、その使用時間はバッテリー電源が供給される時間に限定されている。
よって、使用電源の容量（Ｃａｐａｃｉｔｙ）が制限されているバッテリーを使用して端末機の使用時間を延長するためには、容量の大きいバッテリーを装着するか、またはバッテリーの消費を最小化しなければならない。しかし、端末機の使用時間を延長するためにサイズの大きいバッテリーを装着する場合は、小型化を好む使用者の要求には符合しないため、開発者の立場ではバッテリーの消費を最小化し得る方向に多くの努力を傾注している状況である。
最近、大部分の移動通信端末機にＬＣＤの適用が一般化してきているが、ＬＣＤパネルの後面には、ＬＣＤにディスプレイされる画面を見得るように、光を発光するバックライトが具備されるが、このバックライトもバッテリーから電源の供給を受けて駆動される。
【０００３】
図３は、一般の移動通信端末機におけるバックライト駆動電源制御装置の構成を示したブロック図で、図に示すように、一般の移動通信端末機のバックライト駆動電源制御装置においては、バックライトイネーブル信号ＬＣＤ＿ＢＡＣＫ＿ＥＮによって、バッテリー（図示せず）の電圧ＶＢＡＴＴを、バックライトを駆動するための定電圧Ｖ＿ＢＡＣＫに変換するチャージポンプ１０と、チャージポンプ１０から出力された電源により駆動してＬＣＤを照明するバックライト部２０と、バックライトイネーブル信号ＬＣＤ＿ＢＡＣＫ＿ＥＮによって、バックライト部２０に流れる電流をＯＮ／ＯＦＦするためのトランジスタＱ１と、を含んで構成されている。
また、チャージポンプ１０の代わりに、ＤＣ／ＤＣコンバータを使用することができる。
また、バックライト部２０は、並列に連結され、光を発光するための複数のＬＥＤ（ＬＥＤ１〜ＬＥＤ３）と、各ＬＥＤに直列に連結され、電流を調節するための複数の抵抗Ｒ１〜Ｒ３とから構成されている。
【０００４】
以下、このように構成された一般の移動通信端末機におけるバックライト駆動電源制御装置の動作に対して説明する。
ＣＰＵ（図示せず）からＬＣＤ（図示せず）を照明するためのバックライトイネーブル信号ＬＣＤ＿ＢＡＣＫ＿ＥＮが出力されると、チャージポンプ１０及びトランジスタＱ１はターンオン（ｔｕｒｎ  ｏｎ）する。チャージポンプ１０は、バッテリーの電圧ＶＢＡＴＴの入力を受けて、バックライトを駆動するための定電圧Ｖ＿ＢＡＣＫに変換し、該変換された定電圧Ｖ＿ＢＡＣＫは、バックライト部２０に印加され、バックライト部２０のＬＥＤ（ＬＥＤ１〜ＬＥＤ３）及び抵抗Ｒ１〜Ｒ３を通して一定に分配された電流がトランジスタＱ１を通して流れるようになり、ＬＥＤ（ＬＥＤ１〜ＬＥＤ３）が発光しながらＬＣＤを照明するようになる。使用されるＬＣＤにはカラーＬＣＤも含まれる。
【０００５】
また、一般に、バッテリーの電圧ＶＢＡＴＴは、消費されながら４．２Ｖから３．０ＶまでのＤＣ（Ｄｉｒｅｃｔ  Ｃｕｒｒｅｎｔ）電圧レベルを有するが、このようなバッテリーの電圧ＶＢＡＴＴをそのままバックライト用駆動電源として使用すると、バックライト部２０のＬＥＤの明るさが変化する。従って、このようなバッテリーの電圧レベルの変化によりバックライト用ＬＥＤの明るさが変化することを防止するため、チャージポンプ１０により、バッテリーの電圧ＶＢＡＴＴを定電圧Ｖ＿ＢＡＣＫに変換する。
即ち、チャージポンプ１０は、バッテリーの電圧ＶＢＡＴＴレベルが基準電圧（例えば、４Ｖ）以上の場合は、ダウンコンバータとして動作し、基準電圧未満の場合は、アップコンバータとして動作する。よって、チャージポンプ１０は、バッテリー電圧ＶＢＡＴＴが４．２Ｖから３．０Ｖまで変動されても、４．０Ｖの定電圧Ｖ＿ＢＡＣＫを出力する。
このように、チャージポンプ１０は、バッテリーの電圧ＶＢＡＴＴレベルの変動に関係なく、常に一定の電圧をバックライト部２０に出力する。
ＬＣＤバックライトに関する電力削減手法としては、例えば特許文献１の「携帯電話装置」に、キーバックライト部との合計で消費電流が同じになるようにしたものが開示されている。
【０００６】
【特許文献１】特開２００２−７７３３０号公報
【発明の開示】
【発明が解決しようとする課題】
【０００７】
しかしながら、このような定電圧方式による一般の移動通信端末機のバックライト駆動電源制御装置においては、４．０Ｖ程度の低電圧用チャージポンプ１０、或いはＤＣ／ＤＣコンバータの効率が９０％以下で低いため、バックライトを駆動するための実際電圧より１０％程度のバッテリー電圧が不必要に消費されることで、移動通信端末機のバッテリーの使用時間が短縮されるという不都合な点があった。
【０００８】
本発明は、このような従来の課題に鑑みてなされたもので、バッテリーの電圧レベルが所定電圧以上であると、バックライトを駆動するための定電圧ダウンコンバータの動作を停止させることで、バッテリーの電力消費を減らし得る移動通信端末機のバックライト駆動電源制御装置及びその方法を提供することを目的とする。
【課題を解決するための手段】
【０００９】
このような目的を達成するため、本発明に係る移動通信端末機のバックライト駆動電源制御装置においては、バッテリーの電圧レベルによって、バックライトを駆動するためのバッテリー電圧のバイパス（ｂｙｐａｓｓ）及びアップコンバーティングを制御する制御部と、前記制御部の制御によって、バッテリー電圧をアップコンバーティングして定電圧を出力するチャージポンプと、前記制御部の制御によって、バッテリー電圧をバイパスするスイッチング部と、前記制御部の制御によって、前記チャージポンプの出力電圧又は前記スイッチング部の出力電圧の何れか一つの印加を受けて駆動されるバックライト部とを含んで構成されることを特徴とする。
また、前記制御部は、前記バッテリーの電圧レベルが基準電圧以上である場合、前記バッテリー電圧が前記バックライト部にバイパスされるように、前記スイッチング部をターンオンさせ、前記バッテリーの電圧レベルが基準電圧未満である場合、前記バッテリー電圧がアップコンバーティングされるように、前記チャージポンプをターンオンさせることを特徴とする。
また、前記制御部は、前記バッテリー電圧が所定レベルに分圧された電圧の入力を受け、該入力された分圧電圧をデジタルデータに変換し、該変換されたデジタルデータの値と前記基準電圧とを比較することを特徴とする。
また、前記所定レベルは、前記バッテリー電圧の１／２レベルであることを特徴とする。
また、前記チャージポンプに代わり、ＤＣ／ＤＣコンバータを用いることを特徴とする。
また、前記バックライト部と接地電源間に連結され、前記バックライト部に流れる電流をＯＮ／ＯＦＦするためのトランジスタを更に含むことを特徴とする。
また、前記トランジスタは、前記制御部により前記スイッチング部の動作を制御するためのバイパスイネーブル信号と、前記制御部により前記チャージポンプの動作を制御するためのアップコンバーティングイネーブル信号とを論理和する論理ゲートにより制御されることを特徴とする。
また、前記トランジスタは、前記制御部から出力される前記バックライト部をターンオンするためのバックライトイネーブル信号により直接制御されることを特徴とする。
【００１０】
そして、本発明に係る移動通信端末機のバックライト駆動電源制御方法においては、移動通信端末機のバッテリーの電圧レベルを測定する過程と、前記測定された電圧レベルが基準電圧レベル以上である場合、前記バッテリー電圧をバックライト部にバイパスする第１経路をターンオンする過程と、前記測定された電圧レベルが基準電圧レベル未満である場合、前記バッテリー電圧を所定レベルの定電圧に変換する第２経路をターンオンする過程とを有することを特徴とする。
また、前記第１経路をターンオンする過程は、前記第１経路上に具備されたＦＥＴ（Ｆｉｅｌｄ  Ｅｆｆｅｃｔ  Ｔｒａｎｓｉｓｔｏｒ）をターンオンすることを特徴とする。
また、前記第２経路をターンオンする過程は、前記第２経路上に具備されたアップコンバーティング機能を行うチャージポンプをターンオンすることを特徴とする。
また、前記チャージポンプに代わり、ＤＣ／ＤＣコンバータを用いることを特徴とする。
また、前記所定レベルは、基準電圧レベル以上であることを特徴とする。
そして、本発明に係る移動通信端末機のバックライト駆動電源制御方法においては、移動通信端末機のバッテリーの電圧レベルを検出する過程と、前記検出された電圧レベルが基準電圧以上であるかを判断する過程と、前記検出された電圧レベルが基準電圧以上である場合、前記バッテリー電圧をバックライト部に直接印加する過程と、前記検出された電圧レベルが基準電圧未満である場合、前記バッテリー電圧をアップコンバーティングした定電圧を前記バックライト部に印加する過程とを有することを特徴とする。
また、前記バッテリーの電圧レベルを検出する過程は、前記バッテリー電圧を１／２に分圧する過程と、前記分圧された電圧をデジタルデータに変換する過程とからなることを特徴とする。
【発明の効果】
【００１１】
本発明に係る移動通信端末機のバックライト駆動電源制御装置及びその方法においては、移動通信端末機のＬＣＤのバックライトを動作させるとき、バッテリーの電圧をチェックして、所定電圧以上ではバックライトの定電圧駆動のためのダウンコンバータの動作を停止させることで、バッテリーの電力消費を減らし得ると共に、バッテリーの使用時間を延長し得るという効果がある。
【発明を実施するための最良の形態】
【００１２】
以下、本発明の実施の形態について、図面を参照して説明する。
図１は、本発明に係る移動通信端末機のバックライト駆動電源制御装置の構成を示したブロック図で、図に示すように、本発明に係る移動通信端末機のバックライト駆動電源制御装置においては、バッテリーの電圧レベルを検出し、検出されたレベルによって、バッテリー電圧のバイパス及びアップコンバーティングを制御する制御部１００と、制御部１００の制御によって、バッテリー電圧のアップコンバーティングを行うチャージポンプ１０と、制御部１００の制御によって、バッテリー電圧をバイパスするスイッチング部２００と、制御部１００から出力されるバイパスイネーブル信号及びアップコンバーティングイネーブル信号を検出する論理ゲートＯＲ１と、チャージポンプ１０の出力電圧又はスイッチング部２００の出力電圧の何れか一つの印加を受けてＬＣＤを照明するバックライト部２０と、論理ゲートＯＲ１の出力信号によって、バックライト部２０に流れる電流をＯＮ／ＯＦＦするトランジスタＱ１と、を含んで構成されている。
【００１３】
また、第１及び第２分圧抵抗Ｒ１０、Ｒ２０は、バッテリー電圧を１／２に分圧し、制御部１００は、第１及び第２分圧抵抗Ｒ１０、Ｒ２０により１／２に分圧された電圧レベルを測定する。
また、制御部１００は、第１及び第２分圧抵抗Ｒ１０、Ｒ２０により分圧されたアナログ電圧をデジタルデータに変換するアナログ−デジタル変換器（Ａｎａｌｏｇ  ｔｏ  Ｄｉｇｉｔａｌ  Ｃｏｎｖｅｒｔｅｒ：以下、ＡＤＣと略称する）１１０と、バイパスイネーブル信号及びアップコンバーティングイネーブル信号を出力するためのＧＰＩＯ（Ｇｅｎｅｒａｌ  Ｐｕｒｐｏｓｅ  Ｉｎｐｕｔ  Ｏｕｔｐｕｔ）部１２０とから構成されている。
【００１４】
また、スイッチング部２００は、バイパスイネーブル信号によってバッテリー電圧をスイッチングするＦＥＴ（Ｆｉｅｌｄ  Ｅｆｆｅｃｔ  Ｔｒａｎｓｉｓｔｏｒ）により構成される。
また、チャージポンプ１０は、ＤＣ／ＤＣコンバータに代替することができる。
また、バックライト部２０は、並列に連結され、光を発光するための複数のＬＥＤ（ＬＥＤ１〜ＬＥＤ３）と、各ＬＥＤに直列に連結され、電流を調節するための複数の抵抗Ｒ１〜Ｒ３とから構成されている。
また、制御部１００は、バイパスイネーブル信号及びアップコンバーティングイネーブル信号とは別途のバックライトイネーブル信号を追加して出力し、このバックライトイネーブル信号が論理ゲートＯＲ１の代わりにトランジスタＱ１のＯＮ／ＯＦＦを制御するように構成することもできる。
【００１５】
以下、このように構成された本発明に係る移動通信端末機のバックライト駆動電源制御装置の動作について説明する。
図２は、本発明に係る移動通信端末機のバックライト駆動電源制御方法を示したフローチャートで、図に示すように、図１に示した制御部１００は、バッテリーの電圧ＶＢＡＴＴレベルを検出し（ステップＳ１０）、検出された電圧ＶＢＡＴＴレベルが基準電圧以上であると（ステップＳ１２）、バイパスイネーブル信号ＢＡＴＴ＿Ｈ＿ＢＡＣＫ＿ＥＮを出力して、スイッチング部２００をターンオンさせる。よって、バッテリー電圧ＶＢＡＴＴは、そのままバックライト部２０に印加される（ステップＳ１４）。
【００１６】
一方、検出されたレベルが基準電圧未満であると（ステップＳ１２）、制御部１００は、アップコンバーティングイネーブル信号ＢＡＴＴ＿Ｌ＿ＢＡＣＫ＿ＥＮを出力して、チャージポンプ１０をターンオンさせる。チャージポンプ１０は、バッテリー電圧ＶＢＡＴＴを基準電圧レベルにアップコンバーティングし（ステップＳ１６）、アップコンバーティングされた電圧は、バックライト部２０に印加される（ステップＳ１８）。
【００１７】
また、論理ゲートＯＲ１は、二つのイネーブル信号ＢＡＴＴ＿Ｈ＿ＢＡＣＫ＿ＥＮ、ＢＡＴＴ＿Ｌ＿ＢＡＣＫ＿ＥＮを論理和するため、何れか一つがイネーブルになると、論理ゲートＯＲ１はトランジスタＱ１をターンオンさせる。よって、バイパスされたバッテリー電圧ＶＢＡＴＴまたはアップコンバーティングされた定電圧Ｖ＿ＢＡＣＫがバックライト部２０に印加され、バックライト部２０は発光する。
【００１８】
表１に、バッテリー電圧ＶＢＡＴＴレベルによって、制御部１００から出力されるバックライト制御信号の状態を示す。
【表１】
2004312737.tif 000003
【００１９】
バッテリーの電圧ＶＢＡＴＴは、第１及び第２分圧抵抗Ｒ１０、Ｒ２０により１／２に分圧された後、制御部１００に入力される。制御部１００のＡＤＣ１１０は、電圧レベルが検出されると、検出された電圧レベルをデジタルデータに変換する（ステップＳ１０）。
変換されたデジタルデータが２．０Ｖ以上の場合、制御部１００は、バッテリー電圧ＶＢＡＴＴが４．０Ｖ以上であると判断し、ＧＰＩＯ部１２０を通してバイパスイネーブル信号ＢＡＴＴ＿Ｈ＿ＢＡＣＫ＿ＥＮを「ハイ」に、アップコンバーティングイネーブル信号ＢＡＴＴ＿Ｌ＿ＢＡＣＫ＿ＥＮを「ロー」に出力する。よって、４．０Ｖ以上のレベルを有するバッテリー電圧がスイッチング部２００を通してバイパスされてバックライト部２０に印加される（ステップＳ１２、ステップＳ１４）。
【００２０】
また、「ハイ」状態のバイパスイネーブル信号ＢＡＴＴ＿Ｈ＿ＢＡＣＫ＿ＥＮ及び「ロー」状態のアップコンバーティングイネーブル信号ＢＡＴＴ＿Ｌ＿ＢＡＣＫ＿ＥＮが入力された論理ゲートＯＲ１は、「ハイ」状態の信号を出力してトランジスタＱ１をターンオンさせる。よって、バックライト部２０は、ターンオンされたＬＥＤ（ＬＥＤ１〜ＬＥＤ３）に電流が流れて発光する。
このとき、アップコンバーティングイネーブル信号ＢＡＴＴ＿Ｌ＿ＢＡＣＫ＿ＥＮは「ロー」状態であるため、チャージポンプ１０はターンオフ状態となって動作しない。このようにバッテリー電圧ＶＢＡＴＴが基準電圧以上のときは、チャージポンプ１０の動作を停止させることで、本発明はバッテリーの電力消費を減らすことができる。
【００２１】
一方、ＡＤＣ１１０により変換されたデジタルデータが２．０Ｖ未満であると、制御部１００は、バッテリー電圧ＶＢＡＴＴが４．０Ｖ未満であると判断し、ＧＰＩＯ部１２０を通してバイパスイネーブル信号ＢＡＴＴ＿Ｈ＿ＢＡＣＫ＿ＥＮを「ロー」に、アップコンバーティングイネーブル信号ＢＡＴＴ＿Ｌ＿ＢＡＣＫ＿ＥＮを「ハイ」に出力する。「ハイ」状態のアップコンバーティングイネーブル信号ＢＡＴＴ＿Ｌ＿ＢＡＣＫ＿ＥＮによりターンオンされたチャージポンプ１０は、４．０Ｖ未満のバッテリー電圧ＶＢＡＴＴをアップコンバーティングして、４．０Ｖの定電圧Ｖ＿ＢＡＣＫを出力する（ステップＳ１６、ステップＳ１８）。
【００２２】
また、「ロー」状態のバイパスイネーブル信号ＢＡＴＴ＿Ｈ＿ＢＡＣＫ＿ＥＮ及び「ハイ」状態のアップコンバーティングイネーブル信号ＢＡＴＴ＿Ｌ＿ＢＡＣＫ＿ＥＮが入力された論理ゲートＯＲ１は、「ハイ」状態の信号を出力してトランジスタＱ１をターンオンさせる。よって、バックライト部２０は、ターンオンされたＬＥＤ（ＬＥＤ１〜ＬＥＤ３）に電流が流れて発光する。
このとき、バイパスイネーブル信号ＢＡＴＴ＿Ｈ＿ＢＡＣＫ＿ＥＮは「ロー」状態であるため、スイッチング部２００はターンオフ状態となって動作しない。
【００２３】
そして、バイパスイネーブル信号ＢＡＴＴ＿Ｈ＿ＢＡＣＫ＿ＥＮ及びアップコンバーティングイネーブル信号ＢＡＴＴ＿Ｌ＿ＢＡＣＫ＿ＥＮを全て「ロー」状態にすることで、チャージポンプ１０及びスイッチング部２００が全てターンオフ状態となり、バックライト部２０の動作が停止し、ＬＥＤが消灯する。
【００２４】
このように、本発明は、移動通信端末機のバッテリーの電圧が４．０Ｖ以上の場合、チャージポンプを経由することなくバックライト部に直接印加することで、チャージポンプによる電力消費を減らすことができる。また抵抗Ｒ１〜Ｒ３を定電流回路に置換えることで、バッテリー電圧が高い場合の電流増加に伴う電力消費を抑えるように構成することも可能である。
尚、本発明は、上述の実施形態に限られるものではない、本発明の技術的範囲から逸脱しない範囲内で多様に変更実施することが可能である。
【図面の簡単な説明】
【００２５】
【図１】本発明に係る移動通信端末機のバックライト駆動電源制御装置の構成を示したブロック図である。
【図２】本発明に係る移動通信端末機のバックライト駆動電源制御方法を示したフローチャートである。
【図３】一般の移動通信端末機におけるバックライト駆動電源制御装置の構成を示したブロック図である。
【符号の説明】
【００２６】
１０    チャージポンプ（ＤＣ／ＤＣコンバータ）
２０    バックライト部
１００    制御部
１１０    ＡＤＣ（Ａｎａｌｏｇ  ｔｏ  Ｄｉｇｉｔａｌ  Ｃｏｎｖｅｒｔｅｒ：アナログ−デジタル変換器）
１２０    ＧＰＩＯ（Ｇｅｎｅｒａｌ  Ｐｕｒｐｏｓｅ  Ｉｎｐｕｔ  Ｏｕｔｐｕｔ）部
２００    スイッチング部
【図１】
2004312737.tif 000004
【図２】
2004312737.tif 000005
【図３】
2004312737.tif 000006